(57)【要約】  ドライバーは、通常の六角頭ファスナー及び通常のローブ頭ファスナーの各と組み合うことができる先端部を持つ。先端部は交互になっているフルートとクレストとを備える。クレストは実質的に平らであって、六角頭の真っすぐな壁と組み合う。フルートはファスナーのローブ頭と組み合う。ソケット形ドライバーは各形式の通常のファスナーと組み合う。ファスナー及びソケット形ファスナーの対は交互になっているフルートとクレスト又は側壁を持つ。このフルートは通常のローブ頭ドライバーと組み合うことができ、かつこれは通常の六角頭ドライバーと組み合うことができる。
2008542044.tif 000002
【特許請求の範囲】
【請求項１】
長手方向軸線を定めているシャフト及びただ１個の駆動用先端部を備えたドライバーであって、
前記先端部は交互になっているフルートとクレストとを有し、
フルートの各は横断方向断面において湾曲し、
クレストの各は第１の側の面及び反対側の第２の側の面を有し、
第１の側の面及び第２の側の面の各は横断方向断面において実質的に真っすぐであり、これにより、フルートはローブ状にされた凹所を有するファスナーを駆動することができ、そしてクレストは真っすぐな壁の六角形凹所を有する別のファスナーを駆動することができる前記ドライバー。
【請求項２】
フルートの各が第１の側の部分及び第２の側の部分を備え、フルートの第１の部分が、時計方向の回転中、ローブ凹所を有するファスナーを駆動でき、そしてフルートの第２の部分が、反時計方向の回転中、ローブ凹所を有するファスナーを駆動できる請求項１のドライバー。
【請求項３】
クレストの第１の側の面が、時計方向の回転中、六角凹所を有するファスナーを駆動でき、そしてクレストの第２の側の面が、反時計方向の回転中、六角凹所を有するファスナーを駆動できる請求項２のドライバー。
【請求項４】
第１のクレストの第１の側の面は第１の側の遷移部において第１のフルートの第１の側の部分になり、第１のフルートの第１の側の部分は間にフルートの底を定めるように第１のフルートの第２の側の部分になり、そして第１のフルートの第２の側の部分は第２の側の遷移部において第２のクレストの第２の側の面になる請求項３のドライバー。
【請求項５】
クレストの第１の側の面及びクレストの第２の側の面が平面である請求項１のドライバー。
【請求項６】
クレストの第１の側の面及びクレストの第２の側の面が平面でない請求項１のドライバー。
【請求項７】
クレストの第１の側の面及びクレストの第２の側の面が、横断方向断面において真っすぐである請求項６のドライバー。
【請求項８】
クレストの第１の側の面及びクレストの第２の側の面が、長手方向断面において弧状である請求項７のドライバー。
【請求項９】
クレストの第１の側の面及びクレストの第２の側の面の各が、これらの間に約１２０゜の角度を形成する請求項１のドライバー。
【請求項１０】
クレストの第１の側の面及びクレストの第２の側の面の各が、横断方向断面の一点で出会う請求項９のドライバー。
【請求項１１】
連結部分がクレストの第１の側の面及びクレストの第２の側の面の間に配置され、連結部分は横断方向断面において平らである請求項９のドライバー。
【請求項１２】
連結部分がクレストの第１の側の面及びクレストの第２の側の面の間に配置され、連結部分は横断方向断面において湾曲している請求項９のドライバー。
【請求項１３】
先端部がテーパーでない請求項１のドライバー。
【請求項１４】
先端部の幅がその末端の近くで減少するように、先端部にテーパが付けられた請求項１のドライバー。
【請求項１５】
先端部の幅がその末端の近くで増加するように、先端部に逆テーパが付けられた請求項１のドライバー。
【請求項１６】
フルートが中低である請求項１のドライバー。
【請求項１７】
長手方向軸線を定めるシャフト及びただ１個の駆動用先端部を備えたソケット頭ドライバーであって、
前記先端部は交互になっているフルートとクレストとを有し、
フルートの各は横断方向断面において湾曲し、
クレストの各は第１の側の面及び反対側の第２の側の面を有し、
第１の側の面及び第２の側の面の各は横断方向断面において実質的に真っすぐであり、
これにより、フルートは六角頭を有するファスナーを駆動でき、そしてフルート及びクレストの少なくも一方が、ローブ状にされた頭を有する別のファスナーを駆動できる前記ソケット頭ドライバー。
【請求項１８】
少なくも第１及び第２の形態を有するドライバー及びファスナーの組合せであって、前記ドライバーは長手方向軸線を定めているシャフト及びただ１個の駆動用先端部を備え、先端部は交互になっているフルート及びクレストを備え、フルートの各は横断方向断面において湾曲し、そしてクレストの各は第１の側の面及びこれと反対側の第２の側の面を備え；
前記第１の形態はドライバー及び真っすぐな壁の六角頭ファスナーよりなり、クレストの少なくも一部分が駆動のための六角頭の壁と組み合っており；そして
前記第２の形態はドライバー及びローブ頭ファスナーよりなり、フルートの少なくも一部分が駆動のためのファスナーのローブと組み合っている
前記組合せ。
【請求項１９】
クレストの第１の側の面及びクレストの第２の側の面の各が横断方向断面において実質的に真っすぐである請求項１８の組合せ。
【請求項２０】
クレストの第１の側の面及びクレストの第２の側の面が約１２０゜の夾角を形成する請求項１９の組合せ。
【請求項２１】
第１及び第２の形態の各において、ファスナー及びドライバーの間に通路が形成される請求項１８の組合せ。
【請求項２２】
六角頭用ソケットドライバー及びローブ頭用ソケットドライバーの各により駆動し得るねじファスナーであって：
頭の周囲をまわり交互になっているフルート及びクレストを備えた頭であって、フルートの各は横断方向断面において湾曲し、クレストは第１の側の面及び反対側の第２の側の面を有し、第１の側の面及び第２の側の面の各は横断方向断面において実質的に真っすぐである前記頭；及び
頭の下側から突き出ていてかつその上に形成されたねじを有するシャフト
を備え、これによりフルートは、ローブ頭用ソケットドライバーによりこれを駆動することができ、そしてクレストは、真っすぐな壁の六角頭用ソケットドライバーによりこれを駆動することができる前記ファスナー。
【請求項２３】
フルートの各が第１の側の部分及び第２の側の部分を備え、フルートの第１の部分は、時計方向の回転中、ローブ頭用ケットドライバーのローブによりこれを駆動することができ、そしてフルートの第２の部分は、反時計方向の回転中、ローブ頭用ソケットドライバーのローブによりこれを駆動することができる請求項２２のファスナー。
【請求項２４】
クレストの第１の側の面は、時計方向の回転中、六角頭用ソケットドライバーの真っすぐな壁によりこれを駆動することができ、そしてクレストの第２の側の面は、反時計方向の回転中、六角頭用ソケットドライバーの真っすぐな壁によりこれを駆動することができる請求項２３のファスナー。
【請求項２５】
クレストの第１の側の面及びクレストの第２の側の面が平らである請求項２２のファスナー。
【請求項２６】
クレストの第１の側の面及びクレストの第２の側の面が平らでない請求項２２のファスナー。
【請求項２７】
クレストの第１の側の面及びクレストの第２の側の面が、横断方向断面において真っすぐである請求項２６のファスナー。
【請求項２８】
クレストの第１の側の面及びクレストの第２の側の面が、長手方向断面において弧状である請求項２７のファスナー。
【請求項２９】
クレストの第１の側の面及びクレストの第２の側の面の各が、これらの間に約１２０゜の角度を形成する請求項２２のファスナー。
【請求項３０】
ファスナーと、ローブ頭ドライバーと六角頭ドライバーの各とが組み合ったとき、これらの間に通路が形成される請求項２２のファスナー。
【請求項３１】
形成された凹所を有する頭；
交互になっているフルートと側壁面とを備えた前記凹所であって、フルートの各が横断方向断面において湾曲している前記フルート；及び
フルートの間に配置された前記側壁面であって、側壁面の各が第１の側の面及び反対側の第２の側の面を有し、第１の側の面及び第２の側の面の各が横断方向断面において実質的に真っすぐである前記側壁面
を備え、側壁面は六角頭を有するドライバーと組み合うことができ、フルートはローブ頭を有する別のファスナーによりこれを駆動することができる前記組合せソケット頭のファスナー。
【請求項３２】
フルートの各が第１の側の部分及び第２の側の部分を有し、フルートの第１の側の部分は、時計方向の回転中、ローブ頭を有するドライバーによりこれを駆動することができ、そしてフルートの第２の側の部分は、反時計方向の回転中、ローブ頭を有するドライバーによりこれを駆動することができる請求項３１のファスナー。
【請求項３３】
側壁の第１の側の面は、反時計方向の回転中、六角頭を有するドライバーにより駆動することができ、そして側壁の第２の側の面は、反時計方向の回転中、六角穴を有するドライバーによりこれを駆動することができる請求項３１のファスナー。
【請求項３４】
第１の側壁の第１の側の面が、第１の側の遷移部において、第１のフルートの第１の側の部分になり、第１のフルートの第１の側の部分が第１のフルートの第２の側の部分にな
り、そして第１のフルートの第２の側の部分が、第２の側の遷移部において、第２の側壁の第２の側の面になる請求項３３のファスナー。
【請求項３５】
クレストの第１の側の面及びクレストの第２の側の面の各が、これらの間に約１２０゜の角度を形成する請求項３１のファスナー。
【請求項３６】
クレストの第１の側の面及びクレストの第２の側の面の各が、横断方向断面における１点で出会う請求項３５のファスナー。
【請求項３７】
クレストの第１の側の面及びクレストの第２の側の面の間に連結部分が配置され、連結部分が横断方向断面において平らである請求項３５のファスナー。
【請求項３８】
クレストの第１の側の面及びクレストの第２の側の面の間に連結部分が配置され、連結部分が横断方向断面において湾曲している請求項３５のファスナー。
【請求項３９】
フルートが側壁を実質的に半分に分割する請求項３５のファスナー。
【請求項４０】
側壁の第１の面が側壁の第２の面と同一平面である請求項３１のファスナー。
【請求項４１】
側壁の第１の側の面及び側面及び側壁の第２の側の面が平面である請求項３１のファスナー。
【請求項４２】
フルートが中低である請求項３１のファスナー。
【請求項４３】
ファスナーと、ローブ頭ドライバーと六角頭ドライバーの各とが組み合わせられたとき、これらの間に通路が形成される請求項３１のファスナー。 
【発明の詳細な説明】
【技術分野】
【０００１】
本発明は、ファスナー及びファスナー用ドライバーに関し、特に複数形状のドライバー頭部により駆動し得る組合せファスナー及び複数形状のファスナー頭部を駆動し得る組合せドライバーに関する。
【背景技術】
【０００２】
複数の形状のねじファスナーと組み合ってこれを駆動し得る組合せドライバーは部品組み立ての際に有用である。例えば、従来技術の多くのドライバーは、１個の組合せドライバーが、すり割り付き頭を有するねじと十字穴付き頭を有するねじとの双方と組み合うことができるように、１個のシャフトで、すり割り付きの頭及びフィリップスねじのような十字穴付き頭と組み合う。また、従来技術の組合せドライバーは、特許文献１に明らかにされた組合せドライバーのように、通常の六角頭ファスナーに適合する形状を持つ。標準のねじまわし用のスロットを有する六角頭ファスナーのような組合せファスナーもよく知られている。
【特許文献１】米国特許第４，３６７，６６４号  明細書
【特許文献２】米国特許第３，５８４，６６７号  明細書
【特許文献３】米国特許第４，２６９，２４６号  明細書
【特許文献４】米国特許第５，２７９，１９０号  明細書
【発明の開示】
【発明が解決しようとする課題】
【０００３】
ねじファスナーを身体の部分に取り付ける整形外科又はその他の外科処置に対しては、ファスナーの頭の形式及び寸法が、身体のＸ線記録に記録されることが多い。従って、ファスナーを除去し又はこれにアクセスするための次の外科処置においては、医学的解析に使用されたものと同じＸ線記録が、ファスナーと組み合うためのドライバーの形式と寸法とを識別する。しかし、ときには、情報がオリジナルのＸ線記録に入れられず又はオリジナルの記録を利用できないような場合、識別情報なしにファスナーを除去し又はこれにアクセスするための次の外科処置が識別情報なしに行われる。外科処置中の適切なドライバーの選定のためにファスナーの形式と寸法を識別することは、身体内におけるファスナーの位置のため、及び流体がファスナーを不明瞭にするため、切開なしでは困難である。
【課題を解決するための手段】
【０００４】
交互になっているフルート（ｆｌｕｔｅ）と溝（ｇｒｏｏｖｅ）とを有する組合せドライバーが提供される。このドライバーは、通常の六角頭ファスナー及びトルクス（Ｒ）ファスナーのような通常のローブ頭ファスナーと組み合ってこれを駆動することができる。ドライバーは、長手方向軸線を定めているシャフト及びただ１個の駆動用先端部を備える。先端部は交互になっているフルートとクレスト（ｃｒｅｓｔ）とを持つ。フルートの各は横断方向断面において湾曲している。クレストの各は第１の側の面及び反対側の第２の側の面を持つ。第１の側の面と第２の側の面との各は横断方向断面において実質的に真っすぐである。フルートは、ローブ状にされた凹所を有するファスナーを駆動することができ、そしてクレストは真っすぐな壁の六角形凹所を有する別のファスナーを駆動することができる。
【０００５】
クレストの第１の側の面及びクレストの第２の側の面は長手方向輪郭において真っすぐ又は弧状である。横断方向断面においては、クレストの第１の側の面及びクレストの第２の側の面は、真っすぐ又は弧状にすることができる。好ましくは、クレストの第１の側の面とクレストの第２の側の面の各は、これらの間に約１２０゜の夾角を形成する。クレストの第１の側の面とクレストの第２の側の面とは、横断方向断面のある１点において出会うことができ、或いはクレストの第１の側の面とクレストの第２の側の面の間に連結部分を配置することができる。連結部分は、横断方向断面において平坦とし又は湾曲させることができる。
【０００６】
ドライバーの先端部は、先端部がテーパーを持たないように真っすぐにすることができ、或いは先端部の幅がその末端近くで減少するように、又は先端部の幅がその末端近くで増加するようにテーパーを付けることができる。
【０００７】
長手方向軸線を定めているシャフト及びただ１個の駆動用先端部を備えたソケット頭ドライバーが提供される。先端部は、交互になっているフルートとクレストとを備える。フルートの各は、横断方向断面において湾曲している。クレストの各は第１の側の面及び反対側の第２の側の面を備え、面の各は横断方向断面において実質的に真っすぐである。フルートは、六角頭及び少なくも１個のフルートを有するファスナーを駆動し、そしてクレストは、ローブ頭を有する別のファスナーを駆動することができる。
【０００８】
組合せドライバーと通常のファスナーとの組合せも提供される。この組合せは、ドライバーが通常の真っすぐな壁の六角頭ファスナーと組み合う第１の形態、及びドライバーがトルクス（Ｒ）ファスナーのような通常のローブ頭ファスナーと組み合う第２の形態を持つ。この第１の形態においては、駆動中、ドライバーのクレストの少なくも一部分が六角頭の壁と組み合う。第２の形態においては、駆動中、ドライバーのフルートも少なくも一部分がファスナーのローブと組み合う。
【０００９】
通常の六角頭ソケットドライバー及び通常のローブ頭ソケットドライバーの各により駆動することのできるねじファスナーが提供される。先端部は交互になってその周囲に配置されたフルートとクレストとを有する頭を備える。フルートの各は横断方向断面において曲げられる。クレストの各は、第１の側の面及び反対側の第２の側の面を備え、面の各は、横断方向断面において実質的に真っすぐである。ねじを有するシャフトは頭の下側から突き出ているねじを持つ。フルートは、ローブ頭ソケットドライバーにより駆動することができ、更に、クレストは、真っすぐな壁の六角頭ソケットドライバーにより駆動することができる。
【００１０】
六角頭ドライバー及びローブ頭ドライバーの各により駆動することができる組合せソケット頭ファスナーが提供される。ファスナーは、形成された凹所を有する頭を備える。交互になっているフルートと側壁の面とを備える。フルートの各は、横断方向断面において湾曲にされる。フルートの間に側壁の面が配置され、この側壁の面の各は第１の側の面及び反対側の第２の側の壁を有し、そして第１の側の壁及び第２の側の壁の各は横断方向断面において実質的に真っすぐである。
【００１１】
組合せソケット頭ファスナーは、フルートにより平らな側壁を実質的に半分に分割しそして側壁の第１及び第２の面がこれらの間に角度が約１２０゜の夾角を形成するように構成することができる。従って、六角頭ドライバーのクレスト又は頂点が側壁と組み合うであろう。或いは、フルートは、六角形のクレストを、頂点から離れた中心部分がファスナーの側壁と接触するようにさせることがある。
【発明を実施するための最良の形態】
【００１２】
組合せドライバー１０は、図１及び２に示されるように、ハンドル１２、シャフト１４、及び通常のローブ頭ファスナー１００及び通常の六角頭ファスナー２００の各とそれぞれ組み合ってこれを駆動することができる先端部１６を備える。ドライバー１０が適宜の形状又は形式のハンドルを持ち得ることを示すためにハンドル１２が図１に図式的に示され、更に本発明はハンドルなしを含む。
【００１３】
シャフト１４から伸びて終端又は末端１８で終わる先端部１６は、ローブ頭ファスナー１００内、及び六角頭ファスナー２００内に差し込むことができる形状を持つ。先端部１６の斜視図を示す図３と４、及び先端部１６の末端１８に近いその横断方向断面図を示す図５を参照すれば、先端部１６はその周囲をまわって交互に形成されたフルート２０とクレスト３０とを備える。
【００１４】
一般に、図３、４及び５に示されるフルート２０の形状は、好ましくは、以下完全に説明されるように、通常のファスナー１００のローブと組み合うフルート２０のような通常のローブ頭ドライバーのフルートと同じである。クレスト３０の形状は、クレスト３０が通常の市販の六角頭ファスナーと組み合うような形状にされるように、ローブ頭を掘ることにより得られる。図５は通常のトルクス（Ｒ）の輪郭の一部分をクレスト３０から突き出ている破線で示す。関連して、特許文献２，特許文献３及び特許文献４は、ローブ頭のドライバー及びファスナーを開示し、これの各は参考文献としてここに組み入れられる。
【００１５】
図５に示されるドライバーの特別な実施例は、ドライバー１０がＴ２５サイズのトルクス（Ｒ）ファスナーと組み合い得るように、トルクス（Ｒ）Ｔ２５の輪郭に基づく。ローブの一部分の除去により形成されたクレスト３０の形状により、ドライバー１０は、通常の３．５ｍｍ六角頭ファスナーと組み合うことができる。本発明は、いかなる特定の大きさにも限定されることはない。逆に、本発明は、いかなるサイズのトルクス（Ｒ）ファスナーも、また対応した六角頭ファスナーも包含する。更に、本発明は、整形外科又はその他の外科処置にも限定されないのみならずドライバーを使用し得るいかなる用途も含む。
【００１６】
図５に示された実施例を再び参照すれば、各フルート２０は、横断方向断面において、フルートの第１の側の部分２２及び反対側のフルートの第２の側の部分２４を含む湾曲した輪郭を持つ。フルートの第１及び第２のフルートの側の部分の間に、フルート底２６がある。フルート３０の各は、クレストの第１の側の面３２及び反対側のクレストの第２の側の面３４を含む。クレストの第１及び第２の側の面３２及び３４は平面であることが好ましい。クレストの第１及び第２の側の面３２及び３４の間に連結部分３６がある。面３２と３４との間の夾角はほぼ１２０゜である。連結部分３６は円の小部分であることが好ましいが、図８Ｂ及び８Ｃに関連して、以下、より詳細に説明されるように適宜の形状とすることができる。
【００１７】
面３２及び３４の各は、ドライバー１０が希望のファスナーと組み合い得るように適切な距離の間、ドライバー１０の長手方向軸線と平行である。図１を参照すれば、長手方向軸線Ｌと平行な面３２及び３４のための距離Ｄは４．５ｍｍとすることができる。従って、図５において一方の平面３２から他方の平面３４まで先端部を横切る幅Ｗは距離Ｄを通して一定である。先端部１６の表面は、距離Ｄ内として認められた部分より上方で、平らである面３２及び３４の部分の上方のシャフト１６の円形に徐々に移行する。本発明は、寸法Ｄ、幅Ｗ、平面３２と３４とのシャフト１４への移行の形状、或いは特許請求の範囲において説明されないその他のいかなる寸法又は形状にも限定されない。
【００１８】
更に、本発明は長手方向軸線Ｌに平行なクレストの面３２及び３４に限定されないだけでなく、図９Ｂ及び９Ｄに関連して以下より完全に説明されるように長手方向の輪郭が湾
曲している面も含む。また、本発明は、横断方向で僅かに弓形になっているクレストの面も含む。従って、（横断方向断面における）３次元についての用語「実質的に平ら」及び２次元についての用語「実質的に真っすぐ」は、ここでは、（横断方向断面における）平面又は直線を含むだけでなく僅かに反っている部分又はかかる部分を含むクレストの面も含む。設計者は、操作上の考慮、又は同等に好都合な設計又は製造のため、幾分か湾曲したクレストを使用することがある。（横断方向断面における）「実質的に平ら」及び「実質的に真っすぐ」の意味の範囲を限定する要素は、通常の六角穴の真っすぐな側面と組み合うことに対するドライバーの能力である。
【００１９】
クレストの第１の側の面３２とフルートの第１の側の面２２との間に第１の側の移行部４２が置かれる。そして、第２の側の移行部４４はクレストの第２の側の面３４とフルートの第２の側の面２４との間に置かれる。移行部４２及び４４は、横断方向断面において、弧状のフルート２０がクレスト３０の真っすぐな面と出会う点又か区域、或いはかかる面になる点又は区域である。
【００２０】
図１及び図６を参照すれば、通常のファスナー１００は交互になっているフルート１２０とローブ１３０とを備える。ファスナー１００の開口の輪郭を示す図６は、ドライバーのフルート２０とファスナーのローブ１３０との相互作用を図式的に示す。図１において、ドライバー１０のフルート２０が接触するローブ１３０の部分がクロスハッチングで示される。右ねじに対する挿入方向である時計方向のファスナー１００の駆動中、各フルート２０の第１の側の部分２２がファスナーのローブ１３０の対応したクロスハッチング部分と接触する。右ねじに対する抜き出し方向である反時計方向のファスナー１００の駆動中、各フルート２０の第２の側の部分２４がファスナーのローブ１３０の対応したクロスハッチング部分と接触する。この実施例においてはクレスト３０はローブ形ファスナー１００の内面と接触しない。しかし、本発明はかかる形状には限定されず、クレスト３０がファスナー１００の表面から間隔を空けられず又は接触している形状（図示せず）も含むことは勿論である。
【００２１】
図２及び図７を参照すれば、通常のファスナー２００は６個の平らな側面２１０を備え、その各は、好ましくはファスナーの長手方向軸線と平行である。ファスナー２００の開口の輪郭を示す図７は、クレスト３０と六角穴の側面２１０との相互作用を図式的に示す。図２において、ファスナー２００の側面２１０がクロスハッチングで示される。右ねじに対する挿入方向である時計方向におけるファスナー２００の駆動中、クレストの第１の側の面３２がファスナーの壁２１０の対応した部分と接触する。右ねじに対する抜き出し方向である反時計方向におけるファスナー２００の駆動中、クレストの第２の側の面３４がファスナーの壁２１０の対応した部分と接触する。この実施例においては、フルート２０は六角頭ファスナー２００の内面と接触しない。しかし、本発明は、フルート２０の幾つかの部分又はすべての部分がファスナー２００から間隔を空けられた形状には限定されない。
【００２２】
図８Ａ、８Ｂ、及び８Ｃは、クレスト３０の実施例の拡大図である。各実施例において、第１及び第２の側の面間の夾角は１２０゜である。図１ないし７に示されたクレスト３０の拡大図を示す図８Ａに見られるように、連結部分３６は、横断方向断面において、好ましくは湾曲し、そして好ましくは円の小部分である。図８Ｂに見られるように、連結部分３６’はクレストの第１の側の部分３２’と第２の側の部分３４’との間に配置されかつ好ましくは面取り部を形成するように横断方向断面において平坦である。図８Ｃに見られるように、クレストの第１の側の部分３２”と第２の側の部分３４”とは点又は頂点３８において出会う。
【００２３】
図９Ａ、９Ｂ、９Ｃ、及び９Ｄは、ドライバー先端部の別の形状である。図９Ａないし
９Ｄにおける各番号は図１ないし７の実施例の構成に相当する構成を呼ぶ。ただし、図９Ａないし９Ｄにおける番号は、その構成が別の実施例におけるものであることを示すために指示文字が付けられる。
【００２４】
図９Ａに示されるように、先端部１６ａは、平面でかつテーパーが付けられたクレストの第１の面３２ａと第２の面３４ａとを備える。関連して、図９Ａに示された特別な面３２ａ及び３４ａ、並びに先端部１６ａの周囲をまわって同様に配置されたその他のクレストの面は、軸線Ｌからクレストの面３２ａ及び３４ａにより形成された平面までの距離が末端１８ａに近づくにつれて小さくなるように、軸線Ｌに関して傾けられた平面を定める。そこで、先端部１６ａの反対側の側面に面するクレスト間の幅は、その末端１８ａに近づくにつれて小さくなる。フルートは平行であるか又は長手方向輪郭において弧状である。末端１８ａの反対側では、クレストの面３２ａ及び３４ａはシャフト１４の円柱状輪郭に徐々に移行する。
【００２５】
図９Ｂに示されるように、先端部１６ｂは、テーパーが付けられかつ長手方向輪郭において湾曲しているクレストの第１の面３２ｂと第２の面３４ｂとを備える。図９Ｂにおいて最もよく見られるように、クレストの面３２ｂ及び３４ｂは横断方向輪郭において直線又は実質的に直線であることが好ましい。この輪郭は特別に図示はしない。従って、第１のクレストの面３２ｂと第２のクレストの面３４ｂとは平面を形成せず、先端部１６ａの両側のクレストの面間の距離が、末端１８ｂに近づくにつれて小さくなる滑らかな円弧状の長手方向輪郭を有する面を形成する。フルート２０ｂもまた長手方向輪郭が先細にされる。末端部１８ｂの反対側では、クレストの面３２ｂ及び３４ｂはシャフト１４の円柱状輪郭に徐々に移行する。
【００２６】
図９Ｃに示されるように、先端部１６ｃは、平面でかつ逆テーパーが付けられ又はアンダーカットされたクレストの第１の面３２ｃと第２の面３４ｃとを備える。関連して、図９Ｃに示された特別な面３２ｃ及び３４ｃ、並びに先端部１６ｃのまわりに同様に配置されたその他のクレストの面は、軸線Ｌからクレストの面３２ｃ及び３４ｃにより形成された平面までの距離が末端１８ａに近づくにつれて大きくなるように、軸線Ｌに関して傾けられた平面を定める。そこで、先端部１６ｃの両側のクレストの面間の幅は、その末端１８ａに近づくと増加する。末端１８ａの反対側では、クレストの面３２ｃ及び３４ｃはシャフト１４の円柱状輪郭に徐々に移行する。
【００２７】
図９Ｄに示されるように、先端部１６ｄは、逆テーパーが付けられ又はアンダーカットされたかつ長手方向輪郭において湾曲しているクレストの第１の面３２ｄと第２の面３４ｄとを備える。図９Ｄにおいて最もよく見られるように、クレストの面３２ｄ及び３４ｄは長手方向輪郭において直線又は実質的に直線であることが好ましい。この輪郭は特別に図示はしない。従って、第１のクレストの面３２ｄと第２のクレストの面３４ｄとは平面を形成せず、先端部１６ｄの両側のクレストの面間の距離が末端１８ｂに近づくにつれて大きくなる滑らかな円弧状の長手方向輪郭を有する面を形成する。末端部１８ｄの反対側では、クレストの面３２ｄ及び３４ｄはシャフト１４の円柱状輪郭に徐々に移行する。
【００２８】
先端部１６、１６ａ、１６ｂ、１６ｃ、及び１６ｄのいずれかを有するドライバー１０の最大トルク伝達の定格はローブ頭ファスナーを駆動するときの通常のローブ頭ドライバーのそれよりも小さくすることができる。同様に、ここに明らかにされたいずれのファスナー又はソケット形ドライバーの最大トルク伝達の定格も、相当する通常のローブ頭製品の定格より小さくすることができる。しかし、整形外科用のような多くの用途に対して、ドライバー又はスクリューヘッドのトルク伝達容量は、安全に適用できる最大トルクの決定における限定要素ではない。例えば、整形外科への応用においては、ねじシャフトの破損、骨の損傷、又は同様な失敗の危険が、最大安全トルクを限定する。
【００２９】
先端部１６、１６ａ、１６ｂ、１６ｃ、又は１６ｃのいずれかを有するドライバー１０の形状は、ファスナー１００又はファスナー２００のいずれかの中に置かれたとき、ドライバー１０がファスナー頭１００又は２００内に挿入されたとき、ファスナー頭内にある流体を排出し得る通路を形成する。図解のために図６を参照すれば、ドライバーのクレスト３０とファスナーのローブ１３０との間に形成された空間又は通路２８が、ファスナー１００の凹所の底にある流体を伝えることができる。図解のために図７を参照すれば、ドライバーのフルート３０とファスナーの壁２１０との間に形成された空間又は通路３８が、ファスナー２００の底にある流体を通すことができる。
【００３０】
別の形状のドライバーを図解するために図１０を参照すれば、ソケット形ドライバー３１０は、ソケットの内周を囲んで交互に形成された弧状のフルート３２０とクレスト３３０とを有するソケット形の先端部３１６、並びにシャフト及びハンドル（図示せず）を備える。フルート３２０とクレスト３３０の形状は図１ないし図７に関して説明されたようであり、フルート３２０及び３３０はフルート２０及びクレスト３０の反対の形である。関連して、フルート３２０は、フルートの第１の側の部分３２２とフルートの第２の側の部分３２４とを備える。フルートの底部３２６はフルートの側の部分３２２と３２４との間に配置される。
【００３１】
クレスト３３０は、好ましくは、クレストの平らな第１の面３２２及びクレストの平らな第２の面３２４を備え、隣接したクレストの面３２２と３２４との間に連結部分３３６又はピーク３３８が形成される。連結部分３３６又はピーク３３８は、図８Ａ、８Ｂ、又は８Ｃに示される構造とは逆の形のような適宜の形状とすることができる。クレスト３３０は、先端部１６、１６ａ、１６ｂ、１６ｃ、及び／又は１６ｄに関してここに明らかにされるいずれかの構造の逆の形を持つことがえきる。
【００３２】
図１１は、頭３０１が断面で示された通常の六角頭ファスナーと組み合わせられるドライバー３１０を示す。六角頭ファスナーを駆動するためにフルート３２０が六角頭の平面と組み合う。特に、フルートの底の部分３２６がドライバー３１０のソケットの半径方向で最も内側の部分であるため、時計方向及び反時計方向の駆動中、フルートの底の部分３２６が六角頭３０１の平面と組み合う。
【００３３】
図１２は、頭３０５が断面で示されるトルクス（Ｒ）形ファスナーのような通常のローブ頭ファスナーと組み合わせられたドライバー３１０を示す。ファスナー及びドライバーの技術になれた人により理解されるであろうように、及び通常のローブ形ファスナーの特別な形状により、ファスナーの頭３０５及びドライバー３１０の特別な寸法に応じて、頭３０５のようなローブがフルートの側の部分３２２又は３２４或いはクレストの側の面３３２又は３３４と組み合うことができる。
【００３４】
図１３を参照すれば、ファスナー５０は、頭５２、フランジ５４、及びシャフト５６を備える。選択的であるフランジ５４は、頭５２の最も下方の部分から半径方向外向きに伸び、そして被締付け品に対するねの頭の支持圧力を減らすことができる。好ましくは通常のものであるシャフト５６は、その上に配置されたねじ５８を備える。ねじ５８は、ねじが適宜の形状のものとなし得ることを示すために図１３においてはねじ山が省略されている。
【００３５】
分かり易くするためにフランジ５４が省略された図１３の線１４−１４を通る横断断面を示す図１４に最もよく示されるように、頭５０は、その周囲をまわり交互になっているフルート６０とクレスト７０とを備える。一般に、図１３及び図１４に示されたフルート６０の形状は、通常のソケット形ドライバーのローブがフルート６０と組み合うように通
常のトルクス（Ｒ）ファスナーのような通常のローブ頭ファスナーのフルートと一般に同じであることが好ましい。
【００３６】
ファスナーのクレスト７０の形状は、通常の六角形ソケットドライバーの平らな壁がクレスト７０と組み合うようにローブ頭を掘ることにより得られる。図解のため、図１４は、通常のトルクス（Ｒ）の輪郭の一部分をクレスト３０から突き出た破線で示す。
【００３７】
各フルート６０は横断断面において湾曲した輪郭を有し、この輪郭はフルートの第１の側の部分６２及び反対側のフルートの第２の側方部分６４を備える。フルートの第１及び第２の側の部分６２と６４との間にフルートの底６６がある。各クレスト７０は、クレストの第１の側の面７２及び反対側のクレストの第２の側の面７４を備える。クレストの第１及び第２の側の面７２及び７４は平面であることが好ましい。クレストの第１及び第２の側の面７２及び７４の間に連結部分７６が配置される。面７２と７４との間の夾角は約１２０゜である。連結部分７６は、円の小部分であることが好ましいが、図８Ｂ及び８Ｃに関連して上述されたように適宜の形状とすることができる。
【００３８】
面７２及び７４の各はファスナー５０の長手方向軸線と平行であることが好ましい。本発明は、面７２及び７４のかかる形状に限定されず、この開示のファスナー技術に親しい人により理解されるであろうように適宜の形状を含む。以下説明されるように、ファスナー５０の形状は、このファスナーが、図１５に示されたドライバー１５０のような通常のローブ頭用ソケットドライバー、及び図１６に示されたドライバー２５０のような通常の六角頭用ソケットドライバーの各と組み合い駆動されることができる。
【００３９】
図１５は、ファスナー頭５２及び交互になっているフルート１６０とローブ１７０とを有する通常のローブ頭用ソケットドライバー１５０を通る断面を図式的に示す。右ねじの挿入方向である時計方向回転でファスナー５０を駆動している間、各フルート６０の第１の側の部分６２が、ドライバーのローブ１７０の対応した第１の側の部分１７２と接触する。右ねじの抜け出し方向である反時計方向回転でファスナー５０を駆動している間、各フルート６０の第２の側の部分６４が、ドライバーのローブ１７０の対応した第２の側の部分１７４と接触する。図１５に示された実施例においては、ドライバーのフルート１６０はファスナーのクレスト７０と接触せず、ファスナーのクレスト７０とドライバーのフルート１６０との間に空間又は通路１６８が形成され、内部の流体はここを通ることができる。本発明は、かかる形状に限定されないことは勿論であり、更にフルート７０がドライバー１５０の表面から間隔を空けられず又は接触している形状（図示せず）も含む。
【００４０】
図１６は、ファスナー頭及び各がドライバーの長手方向軸線と平行であることが好ましい６個の平らな側壁２６０を有する通常の六角頭用ケットドライバー２５０を通る断面を図式的に示す。右ねじの挿入方向である時計方向回転でファスナー５０を駆動している間、ファスナーのクレストの第１の側の面７２が、ドライバーの壁２６０の対応する部分と接触する。右ねじの抜け出し方向である反時計方向回転でファスナー５０を駆動している間、ファスナーのクレストの第２の側の面７４が、ドライバーの壁面２６０の対応する部分と接触する。ドライバーの壁面２６０はファスナーのフルート６０と接触せず、ファスナーのフルート６０とドライバーの側壁２６０との間に空間又は通路１７８が形成され、内部の流体が通過することができる。しかし、本発明は、フルート２０の幾つかの部分又は全ての部分がファスナー２００から間隔を空けられた形状に限定されない。
【００４１】
図１５及び図１６に示されたファスナー５０の特別な実施例はトルクス（Ｒ）Ｔ２５ファスナーに基づく。ローブの一部分の除去により形成されたクレスト７０の形状のため、ファスナー５０は上述のように、通常の３．５ｍｍ六角頭ソケット形ドライバー２５０と組み合うことができる。本発明は、いかなる特別な寸法にも限定されず、むしろ、本発明は任意の寸法のトルクス（Ｒ）ファスナーも、また対応する六角頭ファスナーも含む。更に、本発明は、整形外科用又はその他の外科用に限定されず、ファスナー５０を使用し得るいかなる用途も含む。
【００４２】
ファスナー５０の定格最大トルクは通常のローブ頭ファスナーのそれより小さいかもしれない。しかし、整形外科用のような多くの用途に対してファスナー頭の定格トルクは、安全に伝達し得る最大トルクを決定する限定された要因ではない。例えば、整形外科用において、ねじのシャフトの破断、骨への損傷、又は同様な事故が最大安全トルクを同様に限定する。
【００４３】
組合せソケット形ファスナー４１０ａは、図１７Ａに示されるドライバー３０５のような通常のローブ頭ドライバー、及び図１８Ａに示されるドライバー３０１のような通常の六角頭ドライバーの各と組み合ってこれを駆動することができる。
【００４４】
ファスナー４１０ａの頭部分の横断断面を示す図１９Ａに示されるように、頭４１２ａはこれに形成されたソケット又は凹所４１４ａを有し、この凹所の内周をまわってフルート４２０ａと平らな側の壁４３０ａとが交互に形成される。一般に、図１９ａに示されたフルート４２０ａの形状は、好ましくは、通常のローブ頭ドライバーのローブがフルート４２０ａと組み合うような通常のローブ頭ファスナーのフルートと同じである。
【００４５】
同様に、一般に、図１９Ａに示された平らな側壁４３０ａの形状は、好ましくは、通常の六角頭ドライバーが平らな側壁４３０ａと組み合うように、通常の六角頭ファスナーの平らな側壁と一般に同じである。各フルート４２０ａは、フルートの第１の側の部分４２２ａ及び反対側のフルートの第２の側の部分４２４ａを備える。各平らな側壁４３０ａは、平らな側壁の第１の側の部分４３２ａ及び反対側の平らな側壁の第２の側の部分４３４ａを備える。
【００４６】
側壁面４３２ａ及び４３４ａの各は、ファスナー４１０ａの長手方向軸線と平行であることが好ましい。本発明は、側壁面４３２ａ及び４３４ａのかかる形状に限定されず、ファスナーの技術に親しい人によりこの開示を考慮して理解されるであろういかなる形式も含む。以下説明されるように、ファスナー４１０ａの形状は、図１７Ａに示されるドライバー３０５のような通常のローブ頭ドライバー、及び図１８Ａに示されるドライバー３０１のような通常の六角頭ドライバーの各と組み合わせられて駆動されることが可能である。
【００４７】
図２０Ａは、ファスナー頭４１２ａ及び交互になっているローブ３０６及びフルート３０９を有する通常のローブ頭ドライバー３０５を通る断面を示す。右ねじの挿入方向である時計方向回転でファスナー４１０ａを駆動している間、各フルート４２０ａの第１の側の部分４２２ａが、ドライバーのローブ３０６の対応する第１の側の部分３０７と接触する。右ねじの抜け出し方向である反時計方向回転でファスナー４１０ａを駆動している間、各フルート４２０ａの第２の側の部分４２４ａが、ドライバーのローブ３０６の対応する第２の側の部分３０８と接触する。図２０Ａに示された実施例においてはドライバーのフルート３０９はファスナーの平らな側壁４０３ａと接触せず、ファスナーの側壁４３０ａとドライバーのフルート３０９との間に空間又は通路４３８ａが形成され、内部の流体はここを通ることができる。本発明は、かかる形状に限定されないことは勿論であり、更にドライバーのフルート３０９がファスナー４１０ａの一部分と接触する形状（図示せず）も含む。
【００４８】
図２１Ａは、ファスナー頭４１２ａ及び各がドライバーの長手方向軸線と平行であることが好ましい６個の平らな側壁３０２を有する通常の六角頭ドライバー３０１を通る断面
を示す。右ねじの挿入方向である時計方向回転でファスナー４１０ａを駆動している間、ファスナーの平らな側壁の第１の側の部分４３２ａが、ドライバーの側壁３０２の対応する側壁面３０３と接触する。右ねじの抜け出し方向である反時計方向回転でファスナー４１０ａを駆動している間、ファスナーの平らな側壁の第２の側の部分４３４ａは、ドライバーの側壁３０２の対応する側壁面３０３と接触する。ドライバーの側壁３０２及び側壁３０２間のクレスト又は頂部はいずれもファスナーのフルート４２０ａと接触せず、ファスナーのフルート４２０ａとドライバー３０１との間に、内部の流体が流れ得る空間又は通路４３９ａが形成される。
【００４９】
組合せソケット形ファスナーの別の実施例においては、ファスナー４１０ｂは、図１７Ｂに示されるドライバー３０５のような通常のローブ頭ドライバー、及び図１８Ｂに示されるドライバー３０１のような通常の六角頭ドライバーの各と組み合わせられてこれを駆動することが可能である。
【００５０】
ファスナー４１０ｂの頭の横断方向断面を示す図１９Ｂに最もよく示されるように、頭４１２ｂはこれに形成されたソケット又は凹所４１４ｂを有し、この凹所には、各が外向きに突き出ているフルート４２０ｂにより実質的に半分に分割された６個の平らな側壁４３０ｂを持つ。一般に、図１９Ｂに示されたフルート４２０ｂの形状は、好ましくは、通常のローブ頭ドライバーのローブがフルート４２０ｂと組み合うように、通常のローブ頭ファスナーのフルートと一般に同じである。
【００５１】
図１９Ｂに示された平らな側壁４３０ｂの形状は、好ましくは、通常の六角頭ファスナーの平らな側壁と一般に同じであり、通常の六角頭ドライバーの側壁により形成されたクレスト又は頂部がファスナー７１０ｂの対応する構造と組み合う。関連して、ファスナー頭４１０ｂのソケット形のクレストは、この図の４３１ｂと同じである。各フルート４２０ｂは、フルートの第１の側の部分４２２ｂ及び反対側のフルートの第２の側の部分４２４ｂを備える。各平らな側壁４３０ｂは、平らな側壁の第１の側の部分４３２ｂ及び反対側の平らな側壁の第２の側の部分４３４ｂを備える。
【００５２】
側壁面４３２ｂと４３４ｂの各は、好ましくは、ファスナー４１０ｂの長手方向軸線と平行である。本発明は、側壁面４３２ｂ及び４３４ｂのかかる形状に限定されず、ファスナーの技術に親しい人によりこの開示を考慮して理解されるであろういかなる構造も含む。以下説明されるように、ファスナー４１０ｂの形状は、図１７Ｂに示されるドライバー３０５のような通常のローブ頭ドライバー、及び図１８Ｂに示されるドライバー３０１のような通常の六角頭ドライバーの各と組み合わせられ駆動されることが可能である。
【００５３】
図２０Ｂは、ファスナー頭４１２ｂ及び交互になっているフルート３０９とローブ３０６を有する通常のローブ頭ドライバー３０５を通る断面を示す。右ねじの挿入方向である時計方向回転でファスナー４１０ｂを駆動している間、各フルート４２０ｂの第１の側の部分４２２ｂが、ドライバーのローブ３０６の対応する第１の側の部分３０７と接触する。右ねじの抜け出し方向である反時計方向回転でファスナー４１０ｂを駆動している間、各フルート４２０ｂの第２の側の部分４２４ｂが、ドライバーのローブ３０６の対応する第２の側の部分３０８と接触する。図２０Ｂに示された実施例においてはドライバーのフルート３０９はファスナーの平らな側壁４３０ｂと接触せず、ファスナーの側壁４３０ｂ、特にクレスト４３１ｂとドライバーのフルート３０９との間に空間又は通路４３８ｂが形成され、内部の流体はここを通ることができる。本発明は、かかる形状に限定されないことは勿論であり、更にドライバーのフルート３０９がファスナー４１０ａの部分と接触する形状（図示せず）も含む。
【００５４】
図２１Ｂは、ファスナー頭４１２ｂ及び各がドライバーの長手方向軸線と平行であるこ
とが好ましい６個の平らな側壁を有する通常の六角頭ドライバー３０１を通る断面を示す。右ねじの挿入方向である時計方向回転でファスナー４１０ｂを駆動している間、ファスナーの平らな側壁の第１の側の部分４３２ｂが、ドライバー３０１の対応する側壁面３０２と接触する。右ねじの抜け出し方向である反時計方向回転でファスナー４１０ｂを駆動している間、ファスナーの平らな側壁の第２の側の部分４３４ｂが、ドライバー３０１の対応するドライバー側壁面３０３と接触する。ドライバーの側壁はファスナーのフルート４２０ｂと接触せず、ファスナーのフルート４２０ｂとドライバーの側壁との間に、内部流体が流れ得る空間又は通路４３９ｂが形成される。
【００５５】
図１７Ａないし２１Ａ及び図１７Ｂないし２１Ｂに示されるファスナー４１０ａ及び４１０ｂの特別な実施例はトルクス（Ｒ）ドライバーに基づく。交互になっているフルート４２０ａ又は４２０ｂ及び平らな側壁４３０ａと４３０ｂの形状のため、上述のように、ファスナー４１０ａ及び４１０ｂが、通常の対応する六角頭ドライバーと組み合わせられ駆動されることが可能である。本発明は、いかなる特別な寸法にも限定されず、むしろ、本発明はいかなる寸法のトルクス（Ｒ）ドライバー及び対応する六角頭ドライバーも含む。更に、本発明は、整形外科用又はその他の外科用に限定されず、ファスナー４１０ａ又は４１０ｂを使用し得るいかなる用途も含む。
【００５６】
ドライバー１０の使用を示すためにドライバー先端部１６が使用される。簡単にするために、ドライバー先端部１６ａ、１６ｂ、１６ｃ及び１６ｄ；ドライバー３１０；及びファスナー５０、４１０ａ、及び４１０ｂの各の作用は先端部１６を有するドライバー１０の作用と同様であるため、これらの各の作用を列挙することはしない。説明のため、ドライバー１０の作用が、整形外科手術の文脈で提供される。ただし、本発明はかかる用途に限定されない。整形外科処置においては、ファスナーの形式が記録されておらず又はその情報を得ることができなかったならば、ファスナー１００のような通常のローブ頭ファスナー、或いはファスナー２００のような通常の六角頭ファスナーのどちらが前に身体内に挿入されたかを確定することは困難である。かかる状況においては、上述のようにファスナー１００及び２００のどちらも駆動できるドライバー１０を使用することが有用である。このため、外科医は、例えばファスナーを取り外すために、ファスナー１００又は２００と組み合うように、ドライバー１０を切開部内に差し込むことができる。何かの製造用又は一般用のような外科以外の用途に対するドライバー１０、並びにドライバー先端部１６ａ、１６ｂ、１６ｃ、及び１６ｄ及びドライバー３１０の使用の容易さが明らかである。
【００５７】
同様に、外科医は、ドライバー１５０のような通常のローブ頭ソケット形ドライバー（又は、ドライバー３０１のような通常の六角頭ドライバー）とドライバー２５０のような通常の六角頭ソケット形ドライバー（又はドライバー３０５のような通常のローブ頭ドライバー）の各を使用し得ることを望む環境において組合せファスナー５０（又は４１０ａ又は４１０ｂ）を使用することができる。ファスナー５０（又は４１０ａ又は４１０ｂ）の使用の容易さは、製造用又は一般用のような外科以外の用途に対して明らかである。
【００５８】
本発明は、ここに明らかにされた特定の実施例に限定されず、逆に特許請求の範囲において列挙されたいかなる構造も含む。また、本発明は、ここに列挙された種々の特徴又は構成の任意のものの組合せも包含し、そしてここに明らかにされた実施例は、どれも、単独で通常のドライバー又はファスナーと使用することに限定されない。
【図面の簡単な説明】
【００５９】
【図１】ドライバーと第１のファスナーとの組合せを示す斜視図である。
【図２】図１に示されたドライバーと第２のファスナーとの組合せを示す斜視図である。
【図３】図１及び図２に示されたドライバーの先端部の斜視図である。
【図４】図１及び図２に示されたドライバーの先端部の別の斜視図である。
【図５】図３の線５−５に沿って得られたドライバー先端部の断面図である。
【図６】図１に示されたものと同様なファスナー頭に配置された図５に示されたドライバーの断面の輪郭の略図である。
【図７】図２に示されたものと同様なファスナー頭に配置された図５に示されたドライバーの断面の輪郭の略図である。
【図８Ａ】図５に示されたドライバーのクレストの一部分の拡大断面図である。
【図８Ｂ】ドライバーのクレストの別の実施例の一部分の拡大断面図である。
【図８Ｃ】ドライバーのクレストのなお別の実施例の一部分の拡大断面図である。
【図９Ａ】ドライバーの第２の実施例の先端部の斜視図である。
【図９Ｂ】ドライバーの第３の実施例の先端部の斜視図である。
【図９Ｃ】ドライバーの第４の実施例の先端部の斜視図である。
【図９Ｄ】ドライバーの第５の実施例の先端部の斜視図である。
【図１０】ソケット形ドライバーの平面図である。
【図１１】通常の六角頭ファスナーが内部に配置された図１０に示されたソケット形ドライバーの平面図を図式的に示す。
【図１２】通常のローブ頭ファスナーが内部に配置された図１０に示されたソケット形ドライバーの平面図を図式的に示す。
【図１３】六角頭用ソケットドライバー又はローブ頭用ソケットドライバーのいずれかにより適切に駆動されているファスナーの側面図である。
【図１４】図１３の線１４−１４を通って得られた図１３のファスナーの横断方向断面図である。
【図１５】第１の形式のドライバーと組み合わせられた図１３のファスナーの断面図である。
【図１６】第２の形式のドライバーと組み合わせられた図１３のファスナーの断面図である。
【図１７Ａ】ローブ頭ドライバーとソケット形ファスナーの一実施例との組合せを示す斜視図である。
【図１７Ｂ】ローブ頭ドライバーとソケット形ファスナーの別の実施例との組合せを示す斜視図である。
【図１８Ａ】六角頭ドライバーと図１７Ａに示されたファスナーとの組合せを示す斜視図である。
【図１８Ｂ】六角頭ドライバーと図１７Ｂに示されたファスナーとの組合せを示す斜視図である。
【図１９Ａ】図１７Ａのファスナーの横断方向断面図である。
【図１９Ｂ】図１７Ｂのファスナーの横断方向断面図である。
【図２０Ａ】線２０Ａ−２０Ａを通って得られる図１７Ａに示されたファスナー及びドライバーの断面図である。
【図２０Ｂ】線２０Ａ−２０Ｂを通って得られる図１７Ｂに示されたファスナー及びドライバーの断面図である。
【図２１Ａ】線２１Ａ−２１Ｂを通って得られる図１８Ｂに示されたファスナー及び組み合わせられたドライバーの断面図である。
【図２１Ｂ】線２１Ｂ−２１Ｂを通って得られる図１８Ｂに示されたファスナー及び組み合わせられたドライバーの断面図である。
【図１】
2008542044.tif 000003
【図２】
2008542044.tif 000004
【図３】
2008542044.tif 000005
【図４】
2008542044.tif 000006
【図５】
2008542044.tif 000007
【図６】
2008542044.tif 000008
【図７】
2008542044.tif 000009
【図８ａ】
2008542044.tif 000010
【図８ｂ】
2008542044.tif 000011
【図８ｃ】
2008542044.tif 000012
【図９Ａ】
2008542044.tif 000013
【図９Ｂ】
2008542044.tif 000014
【図９Ｃ】
2008542044.tif 000015
【図９Ｄ】
2008542044.tif 000016
【図１０】
2008542044.tif 000017
【図１１】
2008542044.tif 000018
【図１２】
2008542044.tif 000019
【図１３】
2008542044.tif 000020
【図１４】
2008542044.tif 000021
【図１５】
2008542044.tif 000022
【図１６】
2008542044.tif 000023
【図１７Ａ】
2008542044.tif 000024
【図１７Ｂ】
2008542044.tif 000025
【図１８Ａ】
2008542044.tif 000026
【図１８Ｂ】
2008542044.tif 000027
【図１９Ａ】
2008542044.tif 000028
【図１９Ｂ】
2008542044.tif 000029
【図２０Ａ】
2008542044.tif 000030
【図２０Ｂ】
2008542044.tif 000031
【図２１Ａ】
2008542044.tif 000032
【図２１Ｂ】
2008542044.tif 000033
【手続補正書】
【提出日】平成19年1月8日(2007.1.8)
【手続補正１】
【補正対象書類名】特許請求の範囲
【補正対象項目名】全文
【補正方法】変更
【補正の内容】
【特許請求の範囲】
【請求項１】
長手方向軸線を定めているシャフト及びただ１個の駆動用先端部を備えたドライバーであって、
前記先端部は交互になっているフルートとクレストとを有し、
フルートの各は横断方向断面において湾曲し、
クレストの各は第１の側の面及び反対側の第２の側の面を有し、
第１の側の面及び第２の側の面の各は横断方向断面において実質的に真っすぐであり、
これにより、フルートはローブ状にされた凹所を有するファスナーを駆動することができ、そしてクレストの第１の側及び第２の側の面は真っすぐな壁の六角形凹所を有する別のファスナーを駆動することができる前記ドライバー。
【請求項２】
フルートの各が第１の側の部分及び第２の側の部分を備え、フルートの第１の部分が、時計方向の回転中、ローブ凹所を有するファスナーを駆動でき、そしてフルートの第２の部分が、反時計方向の回転中、ローブ凹所を有するファスナーを駆動できる請求項１のドライバー。
【請求項３】
クレストの第１の側の面が、時計方向の回転中、六角凹所を有するファスナーを駆動でき、そしてクレストの第２の側の面が、反時計方向の回転中、六角凹所を有するファスナーを駆動できる請求項２のドライバー。
【請求項４】
第１のクレストの第１の側の面は第１の側の遷移部において第１のフルートの第１の側の部分になり、第１のフルートの第１の側の部分は間にフルートの底を定めるように第１のフルートの第２の側の部分になり、そして第１のフルートの第２の側の部分は第２の側の遷移部において第２のクレストの第２の側の面になる請求項３のドライバー。
【請求項５】
クレストの第１の側の面及びクレストの第２の側の面が平面である請求項１のドライバー。
【請求項６】
クレストの第１の側の面及びクレストの第２の側の面が平面でない請求項１のドライバー。
【請求項７】
クレストの第１の側の面及びクレストの第２の側の面が、横断方向断面において真っすぐである請求項６のドライバー。
【請求項８】
クレストの第１の側の面及びクレストの第２の側の面が、長手方向断面において弧状である請求項７のドライバー。
【請求項９】
クレストの第１の側の面及びクレストの第２の側の面の各が、これらの間に約１２０゜の角度を形成する請求項１のドライバー。
【請求項１０】
クレストの第１の側の面及びクレストの第２の側の面の各が、横断方向断面の一点で出会う請求項９のドライバー。
【請求項１１】
連結部分がクレストの第１の側の面及びクレストの第２の側の面の間に配置され、連結部分は横断方向断面において平らである請求項９のドライバー。
【請求項１２】
連結部分がクレストの第１の側の面及びクレストの第２の側の面の間に配置され、連結部分は横断方向断面において湾曲している請求項９のドライバー。
【請求項１３】
先端部がテーパーでない請求項１のドライバー。
【請求項１４】
先端部の幅がその末端の近くで減少するように、先端部にテーパが付けられた請求項１のドライバー。
【請求項１５】
先端部の幅がその末端の近くで増加するように、先端部に逆テーパが付けられた請求項１のドライバー。
【請求項１６】
フルートが中低である請求項１のドライバー。
【請求項１７】
長手方向軸線を定めるシャフト及びただ１個の駆動用先端部を備えたソケット頭ドライバーであって、
前記先端部は交互になっているフルートとクレストとを有し、
フルートの各は横断方向断面において湾曲し、
クレストの各は第１の側の面及び反対側の第２の側の面を有し、
第１の側の面及び第２の側の面の各は横断方向断面において実質的に真っすぐであり、
これにより、フルートは六角頭を有するファスナーを駆動でき、そしてフルート及びクレストの少なくも一方が、ローブ状にされた頭を有する別のファスナーを駆動できる前記ソケット頭ドライバー。
【請求項１８】
少なくも第１及び第２の形態を有するドライバー及びファスナーの組合せであって、前記ドライバーは長手方向軸線を定めているシャフト及びただ１個の駆動用先端部を備え、先端部は交互になっているフルート及びクレストを備え、フルートの各は横断方向断面において湾曲し、そしてクレストの各は第１の側の面及びこれと反対側の第２の側の面を備え；
前記第１の形態はドライバー及び真っすぐな壁の六角頭ファスナーよりなり、クレストの少なくも一部分が駆動のための六角頭の壁と組み合っており；そして
前記第２の形態はドライバー及びローブ頭ファスナーよりなり、フルートの少なくも一部分が駆動のためのファスナーのローブと組み合っている
前記組合せ。
【請求項１９】
クレストの第１の側の面及びクレストの第２の側の面の各が横断方向断面において実質的に真っすぐである請求項１８の組合せ。
【請求項２０】
クレストの第１の側の面及びクレストの第２の側の面が約１２０゜の夾角を形成する請求項１９の組合せ。
【請求項２１】
第１及び第２の形態の各において、ファスナー及びドライバーの間に通路が形成される請求項１８の組合せ。
【請求項２２】
六角頭用ソケットドライバー及びローブ頭用ソケットドライバーの各により駆動し得るねじファスナーであって：
頭の周囲をまわり交互になっているフルート及びクレストを備えた頭であって、フルートの各は横断方向断面において湾曲し、クレストは第１の側の面及び反対側の第２の側の面を有し、第１の側の面及び第２の側の面の各は横断方向断面において実質的に真っすぐである前記頭；及び
頭の下側から突き出ていてかつその上に形成されたねじを有するシャフト
を備え、これによりフルートは、ローブ頭用ソケットドライバーによりこれを駆動することができ、そしてクレストは、真っすぐな壁の六角頭用ソケットドライバーによりこれを駆動することができる前記ファスナー。
【請求項２３】
フルートの各が第１の側の部分及び第２の側の部分を備え、フルートの第１の部分は、時計方向の回転中、ローブ頭用ケットドライバーのローブによりこれを駆動することができ、そしてフルートの第２の部分は、反時計方向の回転中、ローブ頭用ソケットドライバーのローブによりこれを駆動することができる請求項２２のファスナー。
【請求項２４】
クレストの第１の側の面は、時計方向の回転中、六角頭用ソケットドライバーの真っすぐな壁によりこれを駆動することができ、そしてクレストの第２の側の面は、反時計方向の回転中、六角頭用ソケットドライバーの真っすぐな壁によりこれを駆動することができる請求項２３のファスナー。
【請求項２５】
クレストの第１の側の面及びクレストの第２の側の面が平らである請求項２２のファスナー。
【請求項２６】
クレストの第１の側の面及びクレストの第２の側の面が平らでない請求項２２のファスナー。
【請求項２７】
クレストの第１の側の面及びクレストの第２の側の面が、横断方向断面において真っすぐである請求項２６のファスナー。
【請求項２８】
クレストの第１の側の面及びクレストの第２の側の面が、長手方向断面において弧状である請求項２７のファスナー。
【請求項２９】
クレストの第１の側の面及びクレストの第２の側の面の各が、これらの間に約１２０゜の角度を形成する請求項２２のファスナー。
【請求項３０】
ファスナーと、ローブ頭ドライバーと六角頭ドライバーの各とが組み合ったとき、これらの間に通路が形成される請求項２２のファスナー。
【請求項３１】
形成された凹所を有する頭；
交互になっているフルートと側壁面とを備えた前記凹所であって、フルートの各が横断方向断面において湾曲している前記フルート；及び
フルートの間に配置された前記側壁面であって、側壁面の各が第１の側の面及び第１の側の面に対して斜めの反対側の第２の側の面を有し、第１の側の面及び第２の側の面の各が横断方向断面において実質的に真っすぐである前記側壁面
を備え、側壁面は六角頭を有するドライバーと組み合うことができ、フルートはローブ頭を有する別のファスナーによりこれを駆動することができる前記組合せソケット頭のファスナー。
【請求項３２】
フルートの各が第１の側の部分及び第２の側の部分を有し、フルートの第１の側の部分は、時計方向の回転中、ローブ頭を有するドライバーによりこれを駆動することができ、そしてフルートの第２の側の部分は、反時計方向の回転中、ローブ頭を有するドライバーによりこれを駆動することができる請求項３１のファスナー。
【請求項３３】
側壁の第１の側の面は、反時計方向の回転中、六角頭を有するドライバーにより駆動することができ、そして側壁の第２の側の面は、反時計方向の回転中、六角穴を有するドライバーによりこれを駆動することができる請求項３１のファスナー。
【請求項３４】
第１の側壁の第１の側の面が、第１の側の遷移部において、第１のフルートの第１の側の部分になり、第１のフルートの第１の側の部分が第１のフルートの第２の側の部分になり、そして第１のフルートの第２の側の部分が、第２の側の遷移部において、第２の側壁の第２の側の面になる請求項３３のファスナー。
【請求項３５】
クレストの第１の側の面及びクレストの第２の側の面の各が、これらの間に約１２０゜の角度を形成する請求項３１のファスナー。
【請求項３６】
クレストの第１の側の面及びクレストの第２の側の面の各が、横断方向断面における１点で出会う請求項３５のファスナー。
【請求項３７】
クレストの第１の側の面及びクレストの第２の側の面の間に連結部分が配置され、連結部分が横断方向断面において平らである請求項３５のファスナー。
【請求項３８】
クレストの第１の側の面及びクレストの第２の側の面の間に連結部分が配置され、連結部分が横断方向断面において湾曲している請求項３５のファスナー。
【請求項３９】
フルートが中低である請求項３１のファスナー。
【請求項４０】
ファスナーと、ローブ頭ドライバーと六角頭ドライバーの各とが組み合わせられたとき、これらの間に通路が形成される請求項３１のファスナー。
【国際調査報告】
2008542044.tif 000034
2008542044.tif 000035